(57)【要約】【課題】表示装置において資料が表示されている場合に、操作者のタッチ操作等により容易に種々の異なる操作を実現することのできる操作表示装置等を提供すること。【解決手段】複数のページが含まれるファイルから、一又は複数のページを含むページ群ファイルを生成し、ページ群ファイルに含まれるページから、一のページのサムネイルと、ページ群ファイルであることを示す識別表示とを重畳して表示する。識別表示について、サムネイルとの重畳表示とを解除する操作を検出した場合、ページ群ファイルに表示されているファイルのサムネイルを一覧表示する。【選択図】図９
2018018555.tif 000002
【特許請求の範囲】
【請求項１】
一又は複数のページを含むページ群ファイルを記憶する記憶手段と、
前記ページ群ファイルに含まれるページの表示用画像を一覧表示し、前記一覧表示された表示用画像はページ群ファイルであることを示す識別表示を行う一覧表示手段と、
前記識別表示へのタッチ操作を検出する操作検出手段と、
前記操作検出手段により、前記識別表示へのタッチ操作が検出された場合には、前記一覧表示された表示用画像に替えて一のページの表示用画像を表示し、当該表示用画像に前記識別表示を重畳して表示する表示手段と、
を備えることを特徴とする表示装置。
【請求項２】
前記ページに対して画像処理を行う画像処理手段を更に有し、
画像処理手段は、前記一覧表示手段により表示用画像が一覧表示されている場合には、ページ毎に画像処理を行い、前記表示手段によりページ群ファイルが表示されている場合にはファイルに含まれるページ全体に画像処理を行い、一覧表示手段によりファイルのサムネイルが一覧表示されている場合には、ページ毎に画像処理を行うことを特徴とする請求項１に記載の操作表示装置。
【請求項３】
前記一覧表示手段は、前記識別表示を前記一覧表示された表示用画像の外部の近傍に表示することを特徴とする請求項１に記載の表示装置。
【請求項４】
前記一覧表示手段は、
前記表示用画像と、前記識別表示とを重畳して表示し、
前記識別表示について、前記表示用画像との重畳表示とを解除する操作を検出し、
前記表示用画像との重畳表示とを解除する操作が検出された場合に、前記ページ群ファイルに表示されているファイルの表示用画像として、ページのサムネイルを一覧表示する、
ことを特徴とする請求項１から３の何れか一項に記載の表示装置。
【請求項５】
前記表示手段は、
前記操作検出手段により、前記識別表示へのフリック操作が検出された後に、前記識別表示が前記一覧表示された表示用画像の何れかに重ねられたことを検出した場合又は前記識別表示へのダブルクリック操作が検出された場合に、前記一覧表示された表示用画像を、一のページの表示用画像と前記識別表示とを重畳して表示すること特徴とする請求項１から４の何れか一項に記載の操作表示装置。
【請求項６】
一又は複数のページを含むページ群ファイルを記憶する記憶ステップと、
前記ページ群ファイルに含まれるページの表示用画像を一覧表示し、前記一覧表示された表示用画像はページ群ファイルであることを示す識別表示を行う一覧表示ステップと、
前記識別表示へのタッチ操作を検出する操作検出ステップと、
前記操作検出ステップにより、前記識別表示へのタッチ操作が検出された場合には、前記一覧表示された表示用画像に替えて一のページの表示用画像を表示し、当該表示用画像に前記識別表示を重畳して表示する表示ステップと、
を含むことを特徴とする表示方法。
【請求項７】
コンピュータに、
一又は複数のページを含むページ群ファイルを記憶する記憶機能と、
前記ページ群ファイルに含まれるページの表示用画像を一覧表示し、前記一覧表示された表示用画像はページ群ファイルであることを示す識別表示を行う一覧表示機能と、
前記識別表示へのタッチ操作を検出する操作検出機能と、
前記操作検出機能により、前記識別表示へのタッチ操作が検出された場合には、前記一覧表示された表示用画像に替えて一のページの表示用画像を表示し、当該表示用画像に前記識別表示を重畳して表示する表示機能と、
を実現させることを特徴とするプログラム。
【発明の詳細な説明】
【技術分野】
【０００１】
本発明は表示装置等に関する。
【背景技術】
【０００２】
近年、液晶表示装置の大型化に伴い、例えば、テーブルに液晶表示装置を組み込んだテーブルディスプレイと呼ばれる装置が登場している。テーブルディスプレイは、タッチパネルと一体化することにより、種々の操作表示を行えるようになっている。
【０００３】
例えば、テーブル上にパワーポイントなどの資料を表示する際、資料をイメージ化し、移動、回転、ページめくりなどの操作を従来の紙の操作に近いタッチ操作で実現するシステムが提案されている。
【０００４】
具体的には、属性情報を持つ画像データをグループ分けして画像群を生成しサムネイル画像を積み上げた態様で表示デバイス上に一覧表示する発明が知られている（例えば、特許文献１参照）。
また、複数の文書データをグループに分類し、同一グループに分類された文書データの表示画像データを生成し、ページめくり可能に表示する発明が知られている（例えば、特許文献２参照）。
【先行技術文献】
【特許文献】
【０００５】
【特許文献１】特開２０１２−１３９６４号公報
【特許文献２】特開２００８−２１０１８２号公報
【発明の概要】
【発明が解決しようとする課題】
【０００６】
テーブルディスプレイにおいて、資料が複数枚ある場合、「資料の中身を一覧して表示したい」、「資料を一枚ずつページめくりしたい」、「資料を移動したい」などの種々の操作を行いたい要望がある。
【０００７】
しかし、従来の操作方法としては、例えば、タッチパネル付き表示装置に複数の表示画像が重ねた状態で表示されている場合に、操作者が表示画像上をフリック操作した場合には、表示画像の移動を行うのか、ページめくりの操作を行うのか判別できず、処理を特定出来ないという問題点があった。
【０００８】
また、積み重ねられた表示画像全ての移動、一覧表示等の処理を行う場合、一度操作メニューを呼び出して操作し、処理モードを切り替える必要があり、操作者にとって煩雑な操作が必要となる問題点があった。
【０００９】
上述した課題に鑑み、本発明が目的とするのは、表示装置において資料が表示されている場合に、操作者のタッチ操作等により容易に種々の異なる操作を実現することのできる表示装置等を提供することである。
【課題を解決するための手段】
【００１０】
上述した課題に鑑み、本発明の表示装置は、
一又は複数のページを含むページ群ファイルを記憶する記憶手段と、
前記ページ群ファイルに含まれるページの表示用画像を一覧表示し、前記一覧表示された表示用画像はページ群ファイルであることを示す識別表示を行う一覧表示手段と、
前記識別表示へのタッチ操作を検出する操作検出手段と、
前記操作検出手段により、前記識別表示へのタッチ操作が検出された場合には、前記一覧表示された表示用画像に替えて一のページの表示用画像を表示し、当該表示用画像に前記識別表示を重畳して表示する表示手段と、
を備えることを特徴とする。
【００１１】
本発明の表示方法は、
一又は複数のページを含むページ群ファイルを記憶する記憶ステップと、
前記ページ群ファイルに含まれるページの表示用画像を一覧表示し、前記一覧表示された表示用画像はページ群ファイルであることを示す識別表示を行う一覧表示ステップと、
前記識別表示へのタッチ操作を検出する操作検出ステップと、
前記操作検出ステップにより、前記識別表示へのタッチ操作が検出された場合には、前記一覧表示された表示用画像に替えて一のページの表示用画像を表示し、当該表示用画像に前記識別表示を重畳して表示する表示ステップと、
を含むことを特徴としている。
【００１２】
本発明のプログラムは、
コンピュータに、
一又は複数のページを含むページ群ファイルを記憶する記憶機能と、
前記ページ群ファイルに含まれるページの表示用画像を一覧表示し、前記一覧表示された表示用画像はページ群ファイルであることを示す識別表示を行う一覧表示機能と、
前記識別表示へのタッチ操作を検出する操作検出機能と、
前記操作検出機能により、前記識別表示へのタッチ操作が検出された場合には、前記一覧表示された表示用画像に替えて一のページの表示用画像を表示し、当該表示用画像に前記識別表示を重畳して表示する表示機能と、
を実現させることを特徴とする。
【発明の効果】
【００１３】
本発明によれば、ページ群ファイルに含まれるページから、一のページのサムネイルと、ページ群ファイルであることを示す識別表示とを重畳して表示する。識別表示について、サムネイルとの重畳表示とを解除する操作を検出した場合、ページ群ファイルに表示されているファイルのサムネイルを一覧表示する。これにより、操作者は識別表示により、表示されているサムネイルに複数のページが含まれているということが容易に識別することができる。更に、ページ群ファイルの表示と一覧表示とを切り替えることにより、ページの確認や操作を必要に応じて切り替えることが可能となる。
【００１４】
また、ページ群ファイルに含まれるページから、一のページのサムネイルと、ページ群ファイルであることを示す識別表示とを重畳して表示する。識別表示を選択する操作を検出された後に、前記ページ群ファイル表示手段により表示されているサムネイル上においてフリック操作が検出された場合には、前記サムネイルを異なるページのサムネイルに切り替えて表示することができる。これにより、ページ群ファイルにおいて表示されているサムネイルを切り替えて表示することができ、現在表示されていないページの内容も、直感的な操作で容易に確認することが可能となる。
【図面の簡単な説明】
【００１５】
【図１】第１実施形態における全体を説明するための図である。
【図２】第１実施形態におけるテーブルディスプレイの機能構成を説明するための図である。
【図３】第１実施形態におけるクリップファイルを説明するための図である。
【図４】第１実施形態における基本処理を説明するための動作フローである。
【図５】第１実施形態における資料操作モードにおける動作例を説明するための図である。
【図６】第１実施形態における処理の流れを説明するための動作フローである。
【図７】第１実施形態における動作例を説明するための図である。
【図８】第１実施形態における動作例を説明するための図である。
【図９】第１実施形態における動作例を説明するための図である。
【図１０】第１実施形態における動作例を説明するための図である。
【図１１】第２実施形態における処理の流れを説明するための動作フローである。
【図１２】第２実施形態における動作例を説明するための図である。
【図１３】第３実施形態における処理の流れを説明するための動作フローである。
【図１４】第３実施形態における動作例を説明するための図である。
【図１５】第４実施形態における処理の流れを説明するための動作フローである。
【図１６】第４実施形態における動作例を説明するための図である。
【発明を実施するための形態】
【００１６】
以下、図面を参照して本発明を実施するための最良の形態について説明する。なお、説明の都合上、実施形態を例に取って説明するが、表示操作が可能な装置であれば、何れの装置であっても適用可能なことは勿論である。
【００１７】
［１．第１実施形態］
［１．１  全体構成］
図１は、本発明の表示操作装置を適用したタッチパネルにより操作可能な大型表示装置（テーブルディスプレイ１０）の外観を示す図である。
【００１８】
テーブルディスプレイ１０は、テーブル状になっており、テーブル部が表示装置（例えば大型液晶表示装置）により構成されている。また、当該表示装置は、タッチパネルと一体に構成されており、操作者が操作可能となっている。
【００１９】
ここで、テーブルディスプレイ１０は、表示部の大きさ、形状から複数の操作者が操作できる。例えば、四方向からそれぞれ操作者が操作できることにより、例えば種々の打合せや商談等に利用可能である。
【００２０】
［１．１  機能構成］
続いて図２を用いてテーブルディスプレイ１０の機能構成について説明する。図２に示すように、テーブルディスプレイ１０は、制御部１１０と、表示部１２０と、入力検知部１３０と、画像処理部１４０と、通信部１５０と、記憶部１６０とを備えて構成されている。
【００２１】
制御部１１０は、テーブルディスプレイ１０の全体を制御するための機能部である。制御部１１０は、記憶部１６０に記憶されている各種プログラムを読み出して実行することにより各種機能を実現しており、例えばＣＰＵ（Central Process Unit）等により構成されている。
【００２２】
表示部１２０は、各種情報を表示するための機能部である。例えば、液晶ディスプレイ（ＬＣＤ）や、有機ＥＬディスプレイ等により構成されている。
【００２３】
入力検知部１３０は、操作者からの入力を検知出来る機能部である。本実施形態においては、表示部１２０と一体となってタッチパネルとして形成されている。入力検知部１３０は、操作者からのタップ、ホールド、スライド、フリック、ホールドといった各種操作を検知することが可能である。また、操作者からの入力の検知を複数検知することが可能である。例えば、５点同時であったり、１０点同時であったりする。
【００２４】
また、検出範囲が所定の範囲内であり、かつ、検知点として複数検知された場合には、所定の範囲が選択されていると検知することも可能である。
【００２５】
画像処理部１４０は、ファイル等から読み出された画像を展開し、表示する為の機能部である。また、既存のファイルや、ページからサムネイル画像を生成する。
【００２６】
通信部１５０は、インターネットの外部ネットワークや、他の機器と接続するためのネットワークインタフェース部である。例えば、ＮＩＣ等により構成されている。
【００２７】
記憶部１６０は、テーブルディスプレイ１０の動作に必要な各種プログラムや、各種データが記憶されている機能部である。記憶部１６０は、例えば、半導体メモリや、ＨＤＤ（Hard Disk Drive）等により構成されている。
【００２８】
また、記憶部１６０には、各種データが記憶されているファイル１６２と、ファイルから生成されるクリップファイル１６４と、画像処理部１４０において生成されるサムネイル画像１６６が保存されている。
【００２９】
ここで、クリップファイルとは、ファイルに含まれるページを一又は複数まとめたページ群ファイルのことである。図３は、本実施形態になる表示（操作）対象となるクリップファイルを説明するための図である。左側はそれぞれのファイル１６２を示すものである。
【００３０】
例えば、プレゼンテーション形式のデータファイル、画像ファイル、表計算形式のデータファイルがそれぞれ記憶されている。各ファイルに含まれているスライドや、画像、シートといったデータをページ毎にまとめたのが右側のクリップファイルである。
【００３１】
このように、クリップファイルは、各種データのページをまとめたページ群ファイルである。まとめるページとしては、文章ファイル、表計算ファイル、プレゼンテーションファイルや、画像ファイル、電子文章ファイル（ＰＤＦやＸＭＬ）等種々の形式となっている。
【００３２】
図３では、「スライド１」「画像.jpg」「シート２」・・・といったページがまとめられている。なお、クリップファイルとしては、直接ファイルからデータを抽出してまとめても良いし、各ファイルに対するリンク情報を管理しても良い。
【００３３】
このクリップページは、操作者からの操作対象となるデータである。例えば、操作者からの切り替え動作により、ページ１、ページ２・・・と切り替え表示したり、一部ページを挿入・削除をしたりする操作を行える。
【００３４】
図３では、複数のファイルからページをまとめているが、例えば単一のファイルの一部又は全部をクリップファイルとしても良い。
【００３５】
このように、クリップページ毎に操作者が格納されているページの種類（利用するアプリケーションの種類や、電子文章形式、画像形式）に関わらず、操作できることとなる。
【００３６】
［１．３  基本動作］
続いて、基本動作について説明する。まずは、クリップファイルを指定して読み出す処理について説明する。
【００３７】
図４に示すように、まずクリップファイルを読み出す（ステップＳ１００）。クリップファイルにページが複数含まれていない場合には（ステップＳ１０２；Ｎｏ）、当該ページのサムネイル画像を生成し（ステップＳ１１０）、サムネイル画像を表示する（ステップＳ１１２）。
【００３８】
他方、読み出したファイルに複数ページがある場合（ステップＳ１０２；Ｙｅｓ）、１枚目のサムネイル画像を生成する（ステップＳ１０４）。そして、クリップページ画像を表示し（ステップＳ１０６）、クリップページであることを識別表示する為のクリップ表示を行う（ステップＳ１０８）。ここで、ページのサムネイルと、識別表示とは重畳して表示されることとなる。
【００３９】
なお、読み出したファイルが複数で有り、それによりページが複数含まれることとなった場合でも、同様の処理を実行する。
【００４０】
そして、クリップページ画像又はサムネイル画像を表示した後は、資料操作モードに移行する（Ｓ１１４）。
【００４１】
「資料操作モード」は基本となる動作モードであり、例えば、ファイルから資料（本実施形態ではクリップファイル）にページを追加・挿入したり、削除したりすることができる。また、ページファイルを選択してドラッグすることによりクリップファイルを移動したり、ピンチイン・ピンチアウト等により表示を拡大・縮小したり、クリップファイルを回転したりすることが可能となる。
【００４２】
図５は、資料操作モードのときの画面表示例（表示画面Ｗ１００）である。クリップファイルＭ１０２が表示されており、クリップファイルＭ１０２の表示の左上にクリップ表示Ｔ１０２が行われている。これにより、操作者は、当該表示されているファイルがクリップファイルであることを視認することができる。
【００４３】
さらに、元々クリップファイルＭ１０２は、Ｍ１０４の位置に表示されていた。操作者により、クリップファイルがタッチされ、Ｐ１方向にドラッグされたことにより、現在の位置に表示されている。
【００４４】
このように、資料操作モードでは、クリップファイルの表示位置等を操作者の操作により移動させることが可能となる。
【００４５】
［１．４  処理の流れ］
続いて、本実施形態における処理の流れについて図６に基づいて説明する。第１実施形態では、クリップファイルから、ページサムネイルを一覧表示する実施形態について説明する。
【００４６】
まず、クリップ位置のフリックを検出する（ステップＳ１５２；Ｙｅｓ）。本実施形態では、クリップの位置から、上方向（クリップファイルの外方向）へのフリックを検出する。
【００４７】
続いて、クリップファイルからページを読み込み（ステップＳ１５４）、画像処理部１４０がページサムネイルを作成する（ステップＳ１５６）。ページサムネイルとは、クリップファイルに含まれているページ毎のサムネイル画像である。なお、クリップファイルに含まれているページのサムネイル画像を生成するタイミングとしては、総てのサムネイル画像を生成しても良いし、所定の範囲（例えば画面に表示する範囲）毎にサムネイル画像を生成することとしても良い。
【００４８】
続いて、クリップをページ外に表示する（ステップＳ１５８）。例えば、クリップファイル（又はクリップファイルに含まれるページのサムネイル）に重畳しない用に、ページのサムネイルが表示される領域外に表示する。
【００４９】
そして、ページサムネイルを一覧表示し（ステップＳ１６０）、資料一覧表示モードに遷移する（ステップＳ１６２）。
【００５０】
ここで、資料一覧表示モードとは、クリップファイルに含まれているページのサムネイル（画像）を一覧するモードである。これにより、操作者はクリップファイル全体に何が含まれているかを確認することができる。
【００５１】
このとき、ページ毎に画像処理を行うことができる。具体的には、サムネイルをタップ、ピンチ・イン（ピンチ・アウト）することによって拡大（縮小）表示したり、ドラッグすることでページ順序を入れ替えたり、スワイプ・ホールドすることによりページを削除したりと、種々の操作が可能である。
【００５２】
この資料一覧表示モードのとき、クリップのタップが検出されると（ステップＳ１６４；Ｙｅｓ）、ページサムネイルの一覧表示からクリップファイル表示に遷移する（ステップＳ１６６）。そして、資料操作モードに遷移する（ステップＳ１６８）。
【００５３】
［１．５  動作例］
続いて、本実施形態における動作例について、図を用いて説明する。図７は、クリップ表示Ｔ１５２を操作者により選択した状態である。
【００５４】
本動作例では、例えば、６ページのプレゼンテーションデータの画像データ（例えば、ＰｏｗｅｒＰｏｉｎｔ）が取り込まれた際に、プレゼンテーションデータに付加されたページ番号の情報を基に、１つの関連画像であることを認識し、６ページのプレゼンテーションデータが表示画像に変換された後、表示装置に表示される際、１つのグループとしてクリップ処理が行われる。
【００５５】
また、プレゼンテーションデータ、表計算データ又は文章データ等の異なるファイル形式であっても、操作表示装置（テーブルディスプレイ１０）に表示した状態で、異なるファイルから必要とされる表示画像のページを抜き取り、積み上げクリップ処理を実行（例えば、クリップ位置に２本指でダブルクリック）することで、異なるファイルから必要とされるページを抜き取り（又はコピー）、グループ化し１つの表示画像を作成することも可能である。
【００５６】
この様に、１つのグループとしてクリップ処理が行われたクリップファイルは、表示画像の上部にクリップファイルであることを示すクリップの画像が表示される。
【００５７】
また、クリップファイルは、利用者によって、ドラッグ・アンド・ドロップ操作が行われることでクリップファイルの移動、２本指でピンチ・イン、又はピンチ・アウト操作が行われることで、表示画像の拡大／縮小が行われる。
【００５８】
最初、クリップ表示Ｔ１５２は、クリップファイルＭ１５２に重畳して表示されている。このとき、操作者によって、クリップファイル（クリップファイルＭ１５２）を操作することでクリップファイルを移動、回転、コピーが可能である。
【００５９】
そして、操作者により、クリップファイルの表示画像（クリップ表示Ｔ１５２）を図８に示すようにそのまま方向Ｐ２にスワイプされると、クリップ表示Ｔ１５４も追従して移動する。そして、クリップファイルＭ１５２の外で操作者のスワイプが終わる（タッチ状態が解除される）と、図９に示すようにページサムネイルが領域Ｒ１５２に表示される。
【００６０】
このとき、クリップ表示Ｔ１５６は、領域Ｒ１５２の外に表示されている。このように、利用者が移動させたクリップ画像は一覧表示された表示画像の近傍に表示させることで、グループ化された表示画像であることが認識可能に表示されている。また、操作者により、クリップ表示Ｔ１５６がタッチされると、再度図７のように、クリップファイル表示に戻ることとなる。
【００６１】
また、一覧表示された表示画像は、これまでのクリップ処理が行われていない表示画像と同様に移動、コピー、回転等の処理が可能であり、利用者がクリップ画像をフリック操作し、一覧表示された表示画像の何れかに重ねた場合や、クリップ画像をダブルクリックした際にはグループ化された一覧表示の表示画像が図７の表示に移行する。
【００６２】
なお、ページサムネイルを表示する方法としては例えば図１０（ａ）に示すようにページサムネイルを拡縮表示することにより、所定の領域内に含まれるように表示する。また、図１０（ｂ）に示すように、スライドバーを設けたり、図１０（ｃ）に示すようにページ切り替えを行ったりしてもよい。また、これらの表示については設定画面等により利用者によって任意に切り替えられるようにしても良い。
【００６３】
［２．第２実施形態］
続いて第２実施形態について説明する。第２実施形態は、ページを切り替えて表示することが出来るページめくりモードについての実施形態である。
【００６４】
［２．１  処理例］
第２実施形態の処理の流れについて図１１を用いて説明する。まず、クリップ位置のタップを検出すると（ステップＳ２０２；Ｙｅｓ）、クリップファイルからページを読み込む（ステップＳ２０４）。
【００６５】
続いて、クリップファイルのページが表示出来ることになったことの識別表示を行う。具体的には、まずクリップをペーパウェイト表示に変更し（ステップＳ２０６）、ページめくり可能の識別表示を行う（ステップＳ２０８）。
【００６６】
続いて、ページめくり操作を検出する（ステップＳ２１０）。例えば、表示されているページを、右から左（左方向）にスワイプさせることにより、ページをめくる操作と検出する。この場合、次ページのサムネイル画像を生成し（ステップＳ２１２）、次ページのサムネイル画像を表示する（ステップＳ２１４）。
【００６７】
このステップＳ２１０〜ステップＳ２１４迄の動作を、ページめくり動作モードとしてペーパウェイトがタップされるまで繰り返し実行される（ステップＳ２４６；Ｎｏ）。なお、ページめくり操作としては、例えばページめくり可能の識別表示をタップするような操作であっても良い。また、表示されているページを、左から右（右方向）にスワイプさせることにより、逆方向にページをめくる操作として検出しても良い。この場合、前ページのサムネイル画像を生成し（キャッシュ画像として残っている場合は利用し）、表示する。
【００６８】
そして、ペーパウェイト表示のタップが検出された場合には（ステップＳ２１６；Ｙｅｓ）、ペーパウェイト表示からクリップ表示に表示が変更される（ステップＳ２１８）。そして、ページめくり可能識別表示を中止し（ステップＳ２２０）、資料操作モードが再度実行される（ステップＳ２２２）。
【００６９】
［２．２  動作例］
続いて、本実施形態における動作例について、図１２を用いて説明する。図１２（ａ）はクリップファイルＭ２０２に、クリップ表示Ｔ２０２が表示されている。このクリップ表示Ｔ２０２をタップすると、図１２（ｂ）に示すように、クリップ表示からペーパウェイト表示Ｃ２０４に変化する。また、クリップファイルＭ２０２の右下は、ページめくり可能識別表示Ｃ２０６と状態が変化する。このような表示の変化により、操作者はページめくりが行えるということを認識することが出来る。
【００７０】
この状態で、操作者が図１２（ｃ）に示すようにＰ３方向（左方向）へのフリック操作を行うと、ページを切り替えることが可能となる。また、このときペーパウェイト表示Ｃ２０４をタップすることにより、資料操作モードに遷移する。
【００７１】
［３．第３実施形態］
続いて、第３実施形態について図１３に基づいて説明する。
【００７２】
［３．１  処理の流れ］
まず、表示されているクリップ位置のホールドを検出する（ステップＳ３０２；Ｙｅｓ）。クリップ位置のホールドが検出されたまま、クリップファイル上でフリックを検出すると（ステップＳ３０４；Ｙｅｓ）、次ページのサムネイル画像を生成する（ステップＳ３０６）。そして、生成された次ページのサムネイル画像を表示する（ステップＳ３０８）。
【００７３】
ここで、クリップ位置のホールドが維持されていれば（ステップＳ３０４；Ｎｏ→ステップＳ３１０；Ｎｏ、ステップＳ３０８→ステップＳ３１０；Ｎｏ）、再度上述した処理を実行する（ステップＳ３１０；Ｎｏ→ステップＳ３０４）。
【００７４】
他方、クリップ位置のホールドが解除された場合には（ステップＳ３１０；Ｙｅｓ）、クリップファイル表示状態に戻し（ステップＳ３１２）、資料操作モードに遷移する（ステップＳ３１４）。
【００７５】
［３．２  動作例］
続いて、本実施形態における動作例について、図１４を用いて説明する。図１４（ａ）はクリップファイルＭ３０２に、クリップ表示Ｔ３０２が表示されている。このクリップ表示Ｔ３０２をホールドすると、図１４（ｂ）に示すように、クリップ表示Ｔ３０４は、クリップファイルＭ３０２上に表示されることとなる。また、クリップファイルＭ３０２の右下がページめくり可能識別表示Ｃ３０２に変化する。これにより、操作者は、ページめくりを行える状態となっていることを認識することができる。
【００７６】
この状態で、操作者が図１４（ｃ）に示すようにＰ４方向（左方向）へのフリック操作を行うと、ページを切り替えることが可能となる。このとき、クリップ表示Ｔ３０２のホールド状態を解除すると、資料操作モードに遷移する。
【００７７】
なお、本実施形態では、例えば図１４（ｂ）では、操作者にモードが変わったことを放置するために表示形態を変化させているが、必ずしも表示の変化は必須ではない。すなわち、クリップ表示Ｔ３０４をホールドしている状態（選択している状態）でページめくりが行えれば良い。
【００７８】
［４．第４実施形態］
続いて、第４実施形態について説明する。
【００７９】
［４．１  処理の流れ］
第４実施形態の処理の流れについて、図１５を用いて説明する。まず、クリップファイル上の所定の範囲がホールドされたか否かを検出する（ステップＳ４０２）。ここで、所定の範囲がホールドされているか否かは、例えばマルチタッチの検出点が含まれている範囲を抽出することにより、ホールドされている領域を算出する。そして、この算出された領域が所定の大きさ以上であるか否かを判定する。
【００８０】
この所定の範囲でホールドされている状態で、クリップファイル上でフリックが検出されると（ステップＳ４０４；Ｙｅｓ）、次ページのサムネイル画像を生成し、表示する（ステップＳ４０６→Ｓ４０８）。
【００８１】
また、クリップファイル上の所定範囲のホールドが解除された場合には（ステップＳ４１０；Ｙｅｓ）、クリップファイル表示状態に戻り（ステップＳ４１２）、資料操作モードに動作が遷移する（ステップＳ４１２）。
【００８２】
［４．２  動作例］
続いて、本実施形態における動作例について、図１６を用いて説明する。図１６（ａ）はクリップファイルＭ４０２上において、所定の範囲Ｒ４０２が操作者により選択（ホールド）されている。
【００８３】
この所定の範囲Ｒ４０２が操作者により選択（ホールド）されている状態で、操作者が図１６（ｂ）に示すようにＰ５方向（左方向）へのフリック操作を行うと、ページを切り替えることが可能となる。このとき、所定の範囲Ｒ４０２のホールド状態を解除すると、資料操作モードに遷移する。
【００８４】
［５．効果］
上述した実施形態によれば、入力された画像データ及び文書データ（ページ）を表示用画像データ（サムネイル）に展開して表示する。そして、複数のページを含む場合には、紙資料と同様にクリップ処理を行い１つの表示画像として関連付けし、表示画像の移動、及びコピーなどの操作を容易にすることができ、操作者の操作性を向上させることができる。
【００８５】
［６．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。
【００８６】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤの記憶装置に格納され、必要に応じてＣＰＵによって読み出し、修正・書き込みが行なわれる。
【００８７】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００８８】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００８９】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【００９０】
また、上述した実施形態の操作表示装置は、
複数のページが含まれるファイルから、一又は複数のページを含むページ群ファイルを生成するページ群ファイル生成手段と、
前記ページ群ファイルに含まれるページから、一のページのサムネイルと、ページ群ファイルであることを示す識別表示とを重畳して表示するページ群ファイル表示手段と、
前記識別表示について、前記サムネイルとの重畳表示とを解除する操作を検出する操作検出手段と、
前記操作検出手段により、前記サムネイルとの重畳表示とを解除する操作が検出された場合には、前記ページ群ファイルに表示されているファイルのサムネイルを一覧表示する一覧表示手段と、
を備えること特徴としてもよい。
【００９１】
また、上述した実施形態の操作表示装置は、
複数のページが含まれるファイルから、一又は複数のページを含むページ群ファイルを生成するページ群ファイル生成手段と、
前記ページ群ファイルに含まれるページから、一のページのサムネイルと、ページ群ファイルであることを示す識別表示とを重畳して表示するページ群ファイル表示手段と、
前記識別表示を選択する操作を検出する操作検出手段と、
前記識別表示を選択する操作が検出された後に、前記ページ群ファイル表示手段により表示されているサムネイル上においてフリック操作が検出された場合には、前記サムネイルを異なるページのサムネイルに切り替えて表示する切替表示手段と、
を備えることを特徴とする。
【００９２】
また、上述した実施形態のプログラムは、
コンピュータに、
複数のページが含まれるファイルから、一又は複数のページを含むページ群ファイルを生成するページ群ファイル生成機能と、
前記ページ群ファイルに含まれるページから、一のページのサムネイルと、ページ群ファイルであることを示す識別表示とを重畳して表示するページ群ファイル表示機能と、
前記識別表示について、前記サムネイルとの重畳表示とを解除する操作を検出する操作検出機能と、
前記操作検出機能により、前記サムネイルとの重畳表示とを解除する操作が検出された場合には、前記ページ群ファイルに表示されているファイルのサムネイルを一覧表示する一覧表示機能と、
を実現させることを特徴としてもよい。
【００９３】
また、上述した実施形態のプログラムは、
コンピュータに、
複数のページが含まれるファイルから、一又は複数のページを含むページ群ファイルを生成するページ群ファイル生成機能と、
前記ページ群ファイルに含まれるページから、一のページのサムネイルと、ページ群ファイルであることを示す識別表示とを重畳して表示するページ群ファイル表示機能と、
前記識別表示を選択する操作を検出する操作検出機能と、
前記識別表示を選択する操作が検出された後に、前記ページ群ファイル表示機能により表示されているサムネイル上においてフリック操作が検出された場合には、前記サムネイルを異なるページのサムネイルに切り替えて表示する切替表示機能と、
を実現させることを特徴としてもよい。
【符号の説明】
【００９４】
１０  テーブルディスプレイ
１１０  制御部
１２０  表示部
１３０  入力検知部
１４０  画像処理部
１５０  通信部
１６０  記憶部
１６２  ファイル
１６４  クリップファイル
１６６  サムネイル画像
【図１】
2018018555.tif 000003
【図２】
2018018555.tif 000004
【図３】
2018018555.tif 000005
【図４】
2018018555.tif 000006
【図５】
2018018555.tif 000007
【図６】
2018018555.tif 000008
【図７】
2018018555.tif 000009
【図８】
2018018555.tif 000010
【図９】
2018018555.tif 000011
【図１０】
2018018555.tif 000012
【図１１】
2018018555.tif 000013
【図１２】
2018018555.tif 000014
【図１３】
2018018555.tif 000015
【図１４】
2018018555.tif 000016
【図１５】
2018018555.tif 000017
【図１６】
2018018555.tif 000018